(57)【要約】 【課題】  本発明は、屋根構成部材から独立している補強部材であり、屋根構成部材とは別に、任意に設置することを目的とする屋根面上の取付部材である。 【解決手段】  本発明は、側面Ｌ形に成る補強吊子１の垂直上端部２は底面部方向に曲折し、前記底面部には複数の通孔３を間隔をおいて設け、この通孔にはビス４・・を挿入して野地板ａに固定し、前記野地板上に配置する下屋根材６に間隔をおいて下はぜ７を形成し、この下はぜに被嵌する上はぜ９を間隔をおいて上屋根材１０に設けて成るものである。また、前記側面Ｌ形に成る補強吊子の底面部の中央辺にＶ形切欠部５を設けて成るものである。【選択図】    図１
2018188860.tif 000002
【特許請求の範囲】
【請求項１】
側面Ｌ形に成る補強吊子１の垂直上端部２は底面部方向に曲折し、前記底面部には複数の通孔３を間隔をおいて設け、この通孔にはビス４を挿入して野地板ａに固定し、前記野地板上に配置する下屋根材６に間隔をおいて下はぜ７を形成し、この下はぜに被嵌する上はぜ９を間隔をおいて上屋根材１０に設けて成ることを特徴とする屋根面上部材の取付機構。
【請求項２】
側面Ｌ形に成る補強吊子１の底面部の中央辺にＶ形切欠部５を設けて成る請求項１に記載した屋根面上部材の取付機構。
【発明の詳細な説明】
【技術分野】
【０００１】
本発明は、ソーラーパネルなどの屋根面上部材の取付機構に関するものである。
【背景技術】
【０００２】
従来、折版屋根等におけるソーラーパネルなどの屋根上部材の取付装置としては、次のようなものが存している。
【先行技術文献】
【特許文献】
【０００３】
【特許文献１】特開２００５−２６４６１８号公報
【特許文献２】特公平６−７２４７１号公報
【特許文献３】特開２０１４−１０５５３３号公報
【特許文献４】特許第４１６６２３０号公報
【０００４】
特許文献１は、その図２，図４から明らかなように、内側に設けた吊子４の折り曲げ部４ｄ，４ｄによって、屋根葺き材２ｃ，２ｃを抑えるように設置され、その上方から長尺のキャップ材４４が螺着されるとともに、該キャップ材は段部２ａの先端部が土方に向けて折曲した立ち上げ部２ｂの鈎部２ｃ，吊子４の折り曲げ部４ｄに沿って折曲され、これによって、吊子と屋根葺き材の立ち上げ部とキャップ部材とが一体化したハゼ巻き部５が形成されるものであり、屋根葺き材は前記ハゼ巻き部において、隣接する双方の側線部が連結されるとともに吊子を介して野地板３０に固着されるものである。したがって、この特許文献１は、屋根構造の形成に必須不可欠な構成部材として設置することを目的としているものである。
【０００５】
特許文献２は、その図３に示すように、上馳部６と下馳部５とによる馳締結合部分においてボルト１１止めされた吊子１０によって補強されるものである。したがって、この特許文献２は、屋根構造帯の形成に不可欠な構造部材として設置することを目的とし用途としているものである。
【０００６】
特許文献３は、その同１，同３に示すように、並設された建設用板材５，５の対向する被嵌合部５３，５３に、キャップ材５４が嵌合装着されて成る部分に、吊子６３は被嵌合部５３，５３を補強する部位として機能している構造のものである。したがって、この特許文献３は、屋根構造帯の形成に不可欠な構成部材として設置することを目的とし用途としているものである。
【０００７】
特許文献４は、その図１，図５に示すように、折版屋根の補強構造を示すものであり、屋根構造体の形成に不可欠な構成部材として設置することを目的とし用途としているものである。
【発明の概要】
【発明が解決しようとする課題】
【０００８】
これら特許文献による公知技術に対して、本発明は、屋根構成部材から独立している補強部材であり、屋根構成部材とは別に、任意に設置することを目的とする屋根面上の取付部材である。
【課題を解決するための手段】
【０００９】
本発明は、側面Ｌ形に成る補強吊子の垂直上端部は底面部方向に曲折し、前記底面部には複数の通孔を間隔をおいて設け、この通孔にはビスを挿入して野地板に固定し、前記野地板上に配置する下屋根材に間隔をおいて下はぜを形成し、この下はぜに被嵌する上はぜを間隔をおいて上屋根材に設けて成るものである。
【００１０】
また、前記側面Ｌ形に成る補強吊子の底面部の中央辺にＶ形切欠部を設けて成るものである。
【発明の効果】
【００１１】
従来公知の技術は、屋根構造形成に必要不可欠な構成部材として強制的に設置しなければならないものであるのに対し、本発明にあっては屋根構成部材とは別異の補強部材として任意に設置するものとして創作したものであるから、いかなる屋根面においても設置することができるのであり、利便性が高いものとなっているのである。
【００１２】
第１に、図１８を見て理解できるように、従来工法による屋根面上部材の取付装置は、風圧荷重（負圧）に対する強度を屋根の受け止めビスのみに依存しているものであるため、屋根材の素材厚さや間隔などの諸条件によって総合的な負圧に対する強度に差が生じていたのに対し、本工法によれば、風圧荷重に対しては、屋根材への留め付けビスとそれを補強する補強吊子を留め付けているビスに負荷はかかっても使用するビスの本数が多いことから、荷重を分散することができ、屋根板への留め付けビスの強度に依存せず、全体として常に安定した強度を発揮することが可能となっているのである。
【００１３】
第２に、補強吊子は屋根材の内側部に設置することにより、設置後に完全に隠れてしまうから、外観上の意匠性を損なうことはなく、また露出していないから、補強吊子に対する腐蝕の発生を防止することができ、また屋根材に対する穿孔や切込などの加工を施すことはないから、漏水などの現象が起ることはない。
【００１４】
第３に、本発明に係る吊子は独立した補強部材であるから、屋根面において必要な任意のはぜ位置にだけ設置することができるものであり、全体の意匠性や防水性などの機能面を損なうことなく、長期間安定的に太陽光発電システムを維持することができるのである。
【図面の簡単な説明】
【００１５】
【図１】補強吊子の斜視図。
【図２】屋根面におけるＸ方向における墨出し位置とＹ方向への墨出し位置とを示した状態図で、前者のＸ墨出しははぜピッチで示し、後者のＹ墨出しは架台金具体の位置で示す。
【図３】図２の墨出し状態の各ラインの交点に補強吊子を置いた状態図。
【図４】（Ａ）（Ｂ）は図３の状態にある補強吊子を、垂木の中心部に固定すべく野地板にビス４本を取付ける状態図。
【図５】図４（Ｂ）で野地板上に固定した補強吊子に対し下屋根材となる下はぜを野地板上の補強吊子の垂直部に被嵌し、これをビス止めした状態（Ｃ）にし、その後さらに上屋根材の上はぜを下はぜに被嵌した状態（Ｄ）にする図。
【図６】図５（Ｃ）（Ｄ）で施工した最後の納まり状態を示す図。
【図７】補強吊子の取付位置を示した屋根面の斜視図。
【図８】補強吊子１を竪平屋根の一部に取付けたときの平面図。
【図９】竪平屋根に補強吊子を取付けたときの架台金具体との関係を示す斜視図。
【図１０】架台金具の取付状態を示す正面図。
【図１１】（Ａ）（Ｂ）（Ａ’）は太陽電池モジュールの架台金具体を取付けるための各部材の斜視図。
【図１２】図１１（Ａ）の組立て状態を示す斜視図。
【図１３】図１１（Ｂ）の組立て状態を示す斜視図。
【図１４】図１１（Ａ’）の組立て状態を示す斜視図。
【図１５】図１１（Ａ）の組立て状態を示す側面図。
【図１６】図１１（Ｂ）の組立て状態を示す側面図。
【図１７】図１１（Ａ’）の組立て状態を示す側面図。
【図１８】架台金具体の取付け状態を示した一部断面の正面図。
【図１９】架台金具体の取付け状態を示した一部断面の側面図。
【図２０】竪平屋根に施工した補強吊子に装着する架台金具体と太陽電池モジュールとの関係を示す斜視図。
【発明を実施するための形態】
【００１６】
まず屋根面において、Ｘ方向における墨出し位置とＹ方向への墨出し位置とを示し、墨出し状態の各ラインの交点に補強吊子１を置く。しかる後に、補強吊子の底面部に設けている通孔３・・に対してビス４・・を挿入して固定する。（図４（Ａ）→（Ｂ）参照）
【００１７】
全補強吊子１の底面部をビス４により野地板ａに固定した後、下屋根材６を野地板上に置くとともに突設している下はぜ７を、前記補強吊子の垂直部の上端曲折部２に嵌合する。また、野地板に垂木ｂのある屋根にあっては、ビス４を垂木に固定すればよい。（図５（Ｃ）参照）
【００１８】
かかる状態において、下屋根材６の下はぜ７の基部近くの通孔にビス８を挿入して野地板に対して固定する。（図５（Ｄ）参照）
【００１９】
しかる後に、上はぜ９を有する上屋根材１０を下はぜ７を有する下屋根材６に被嵌して固定し、納まり状態とする。（図６参照）
【００２０】
そこで、竪平屋根の各補強吊子１に設置する架台金具体１１を取付けた状態は、図９及び図１０に示したとおりである。
【実施例】
【００２１】
１は側面Ｌ形に成る補強吊子で、この補強吊子の垂直部の上端は内側方向に曲折部２を形成し、また底面部には複数の通孔３・・を設け、この通孔にはそれぞれビス４・・を用意する。この底面部の水平面中央にはＶ形切欠部５を設け、この切欠部を中心出し目印とする。（図１参照）
【００２２】
この各補強吊子１は、野地板ａを載置した垂木ｂ・・をはぜピッチとして墨出ししたＸ１〜Ｘ５ラインと垂木ｂ列を間隔をおいて横断して墨出ししたＹ１〜Ｙ２ラインとの交点に設置するものである。この補強吊子１の施工位置は図３に示している。
【００２３】
各補強吊子１・・の底面部に設けた通孔３・・にはビス４・・を挿入し、野地板ａのＸライン下に設置された垂木ｂの中心に向けてねじ込み施工するものである。（図４（Ａ）→（Ｂ）参照）
【００２４】
しかる後に、野地板ａに固定した補強吊子１・・に対して下屋根材６を施工するが、この下屋根材６には間隔をおいて設けた下はぜ７を形成し、この下はぜ７は前記補強吊子１・・の曲折した垂直上端部２・・に嵌合し、補強吊子１・・の底面部はビス４・・で固定する。（図５（Ｃ）参照）
【００２５】
さらに、前記下はぜ７に対して嵌合する上はぜ９を形成した上屋根材１０を設ける。（図５（Ｄ）参照）
【００２６】
この段階では、補強吊子１・・の底面部はビス４・・により固定し、その垂直部には、下屋根材６の下はぜ７と上屋根材１０の上はぜ９とが二重に嵌合して被套状態になる。（図６参照）
【００２７】
また、屋根の下はぜのピッチは、屋根のタイプやメーカーの製品によって異なるため、事前にピッチの数値を確認し、予めレイアウト図によってはぜの位置と納まり具合を確認することになる。（図７参照）
【００２８】
次に、竪平葺屋根材に本取付具を固定するときは、屋根の軒先部に近接する位置において、墨出ししたＸラインとＹラインとの交点をまず確認する。（図８参照）
【００２９】
また、墨出しした前記ＸラインとＹラインとの交点の位置には、架台金具体１１の縦螺子１２の中心が合うように仮置きして固定する。（図９参照）
【００３０】
前記架台金具体１１は、前記竪平葺屋根部に左右両側部から取付く両嵌合板１３，１３と、この左右両嵌合板間の前後側部に架設する横螺子１４，１４と、この両嵌合板部の外側部に跨立する外枠立板１５とこの外枠立板の上面部と前記嵌合板部の上面部の中央には縦螺子１２を取付けて成るものである。（図１０参照）
【００３１】
前記外枠立板１５の上面部には複数の通孔１６・・を設けている。（図１１参照）
【００３２】
また、架台金具体１１の左右両嵌合板間に架設している前記横螺子１４，１４に対しては、インパクトレンチなどによってナットを仮締めし、架台金具体の傾きやずれなどがないことを確認し、また前記上面中央部の縦螺子１２を緊締する。
【００３３】
以下は、前記架台金具体１１の外枠立板１５上に設置する太陽光電池モジュールｃの取付手段である。
【００３４】
１７は一端部側の片壁受け具で、この片壁受け具の底面部中央には短手方向に長孔１８を設けるが、この長孔には前記外枠立板１５上の縦螺子１２を挿入して螺締する。（図１１（Ａ）・図１５参照）
【００３５】
１９は中間部の両壁受け具で、この両壁受け具の底面部中央には短手方向に長孔２０を設けるが、この長孔には前記外枠立板１５上の縦螺子１２を挿入して螺締する。（図１１（Ｂ）・図１６参照）
【００３６】
２１は他端部側の片壁受け具で、この片壁受け具の底面部中央には短手方向に長孔２２を設けるが、この長孔には前記外枠立板１５上の縦螺子１２を挿入して螺締する。（図１１（Ａ’）・図１７参照）
【符号の説明】
【００３７】
１・・                      補強吊子（特許出願人の商標としては「パワークリップ」という。出願中）
２                          上端曲折部
３・・                      通孔
４・・                      ビス
５                          Ｖ形切欠部
６                          下屋根材
７                          下はぜ
８・・                      ビス
９                          上はぜ
１０                        上屋根材
１１                        架台金具体
１２                        縦螺子
１３                        嵌合板
１４，１４                  横螺子
１５                        外枠立板
１６・・                    通孔
１７                        片壁受け具
１８                        長孔
１９                        両壁受け具
２０                        長孔
２１                        片壁受け具
２２                        長孔
ａ                          野地板
ｂ                          垂木
ｃ                          太陽電池モジュール
【図１】
2018188860.tif 000003
【図２】
2018188860.tif 000004
【図３】
2018188860.tif 000005
【図４】
2018188860.tif 000006
【図５】
2018188860.tif 000007
【図６】
2018188860.tif 000008
【図７】
2018188860.tif 000009
【図８】
2018188860.tif 000010
【図９】
2018188860.tif 000011
【図１０】
2018188860.tif 000012
【図１１】
2018188860.tif 000013
【図１２】
2018188860.tif 000014
【図１３】
2018188860.tif 000015
【図１４】
2018188860.tif 000016
【図１５】
2018188860.tif 000017
【図１６】
2018188860.tif 000018
【図１７】
2018188860.tif 000019
【図１８】
2018188860.tif 000020
【図１９】
2018188860.tif 000021
【図２０】
2018188860.tif 000022